(57)【特許請求の範囲】
【請求項１】
互いに接合する一方の木材の端面に縦設した切込溝に、他の一方の木材の側面に突設した平板状の接合基板の自由端側を係合し、該接合基板の上端に凹入切欠を形成し、この凹入切欠の、前記自由端側の側縁に圧接する押圧片を、前記切込溝に係合して前記一方の木材に外部から回動操作可能に枢着すると共に、押圧片に連設した操作部片を前記切込溝を通じて前記一方の木材の上方に没入可能に突出させた、木造建築物の木材接合装置。
【請求項２】
互いに接合する一方の木材の端面に縦設した切込溝に係合する平板状の接合基板の基端側に、他の一方の木材の側面に固着する取付部片を、また、自由端側の下端部に、頭部を前記一方の木材の下端に係止する固定ボルトを螺合する螺子筒をそれぞれ連設すると共に、前記接合基板の適所に前記他の一方の木材を通じて支持杆を貫通させる透孔を、また、その上端に、前記切込溝に係合して前記一方の木材外部から回動操作可能に枢着した押圧片によって、前記接合基板の自由端側の側縁が押圧される凹入切欠をそれぞれ形成した、木造建築物の木材接合金具。
【発明の詳細な説明】
【０００１】
【産業上の利用分野】
本発明は、柱と梁などの横架材或いは梁と梁などの横架材同士を互いに接合するために用いる、木造建築物の木材接合装置および木材接合金具に関するものである。
【０００２】
【従来の技術】
例えば、実開平７−１９４０９号公報に所載のように、支持杆貫通用の透孔を設けた平板状の接合基板の一端に取付部片を、他の一端に接合基板の板厚より外径の大きい円筒状の係止部片をそれぞれ連設し、前記取付部片に連続する支持部片を接合基板の下端に設けて構成した接合金具を用いた構造のものがある。
【０００３】
この従来例は、取付部片を柱や梁に取付け、該柱又は梁に接合する梁などの横架材に設けた切込溝に接合基板および係止部片を嵌挿させ、傾斜状にした係止部片を横架材に圧接させるようにして該横架材を前記柱や梁などに引寄せ、支持部片によって横架材を支持させる、すなわ、横架材の下面に支持部片を当てるようにして前記柱又は梁と前記横架材を接合するようにしたものである。
【０００４】
【発明が解決しようとする課題】
前記従来例は、横架材に設けたいわば垂直な孔（切込溝の奥端部）において傾斜状にした係止部片を嵌合させ、係止部片の傾斜縁の前記孔に沿う移動によって横架材が柱方向に引寄せられるようにしたものであるが、係止部片の傾斜角度によって引寄せ量が決まり、従って、引寄せ量を異にするものを必要とする際は、別種の金具を準備しなければならず、また、傾斜角度に対応させて横架材側に形成する前記の孔を断面形において長いもの（長孔）にしなければならず、これは横架材の強度を弱くすることになる。
【０００５】
また、前記従来例は、構造上、支持部片を横架材の下面に当てるようにするものであるため、横架材の高さ幅方向の適所に接合基板を配するには高さ幅の異なる横架材のそれぞれに対応した接合金具を準備しなければならない。すなわち、支持部片の存在によって横架材の位置関係が決まるため、横架材の高さ幅が広くなればなる程、高さ幅の有る接合基板を備えた接合金具を用いなければならず、従って、高さ幅の異なる横架材に対応して接合金具を準備しなければならない。
【０００６】
【課題を解決するための手段】
引寄せ量を異にしなければならないときに生じる従来例の前記欠点に対応する手段として、互いに接合する一方の木材の端面に縦設した切込溝に、他の一方の木材の側面に突設した平板状の接合基板の自由端側を係合し、該接合基板の上端に凹入切欠を形成し、この凹入切欠の、前記自由端側の側縁に圧接する押圧片を、前記切込溝に係合して前記一方の木材に外部から回動操作可能に枢着すると共に、押圧片に連設した操作部片を前記切込溝を通じて前記一方の木材の上方に没入可能に突出させた構成とし、また、引寄せ量を自在に設定でき、しかも、高さ幅の異なる横架材に対応する手段として、互いに接合する一方の木材の端面に縦設した切込溝に係合する平板状の接合基板の基端側に、他の一方の木材の側面に固着する取付部片を、また、自由端側の下端部に、頭部を前記一方の木材の下端に係止する固定ボルトを螺合する螺子筒をそれぞれ連設すると共に、前記接合基板の適所に前記他の一方の木材を通じて支持杆を貫通させる透孔を、また、その上端に、前記切込溝に係合して前記一方の木材外部から回動操作可能に枢着した押圧片によって、前記接合基板の自由端側の側縁が押圧される凹入切欠をそれぞれ形成した構成の木材接合金具を用いるようにするのである。
【０００７】
【実施例】
図面は本発明に係る木造建築物の木材接合装置および木材接合金具の一実施例を示し、図１は一部欠截正面図、図２は図１の１Ａ−１Ａ線断面図、図３は接合作業完了時の状態を示す一部欠截正面図である。
【０００８】
実施例の木造建築物の木材接合装置は、木材接合金具１と押圧片２を互いに組合わせて構成するものであって、木材接合金具１は、平板状の接合基板３の基端側にやや上方側にして取付部片４を、下側にして係合部片５をそれぞれ連設し、自由端側の下部に螺子筒６を設けてこれに下面開口の螺子穴６ａを設けて構成したものである。
【０００９】
なお、螺子筒６を他の一方の木材２４に対して上方向に漸次離開するように傾斜させてあるのは、接合基板１に沿わせて切込溝２１において一方の木材２０を降下させたとき、切込溝２１が螺子筒６の傾斜縁に接して他の一方の木材２４方向に自動的に近接させるため、すなわち、引き寄せ動作を行わせるためである。
【００１０】
前記接合基板３は、その上端に円弧状の凹入切欠７を、この凹入切欠７の直下に位置するようにして支持杆８の挿通用の透孔９，９，９をそれぞれ備え、また、前記取付部片４は、接合基板３より部分的に延長した部片４ａの自由端側から下端側にかけてＬ字形部片４ｂを設けて構成し、Ｌ字形部片４ｂに締付けボルト１０挿通用の透孔１１を設けたものである。
【００１１】
前記係合部片５は、取付部片４の部片４ａの直下に位置させて前記Ｌ字形部片４ｂと同様、接合基板４に対して交差方向に配するようにして、接合基板３に連設したものである。
【００１２】
なお、係合部片５は、取付部片４において接合金具１を他の一方の木材２４に締付けボルト１０で締付ける際、第二係合凹部２６に係合して木材２４よりの金具１の落下を防ぎ、また、接合基板３側の締付け操作に伴う回動を防ぐものである。
【００１３】
押圧片２は、支軸１２の貫通用の透孔１３を備えた変形円形状のリング体で成り、その一端に、垂直方向に突出する第一叩打部１４ａと水平方向に突出する第二叩打部１４ｂを備えた操作部片１４を突出して構成したものである。
【００１４】
図中、２０は互いに接合する一方の木材（実施例では桁、梁などの横架材）で、該木材２０の端面２０′の中央部に切込溝２１を縦設する一方、この切込溝２１と交差方向にして前記透孔１３と一致する第一貫通孔２２と、該第一貫通孔２２の直下にして前記透孔９，９，９に対応するようにして第二貫通孔２３，２３，２３を形成し、切込溝２１および第一、第二の貫通孔２２，２３を備えたこの一方の木材２０の切込溝２１中に、押圧片２を挿入し、該押圧片２の透孔１３と第一貫通孔２２を互いに一致させてこれらに支軸１２を挿通させて一方の木材２０に前記押圧片２を組付けるのである。
【００１５】
一方の木材２０と接合する他の一方の木材２４（実施例では柱としてあるが、梁などの横架材でも良い）の前記端面２０′に相対する側面２４′には、第一係合凹部２５と第二係合凹部２６を設け、第一係合凹部２５には前記他の一方の木材２４を貫く貫通孔２７を形成しておき、第一係合凹部２５に取付部片４を、また、第二係合凹部２６に係合部片５をそれぞれ係合させ、取付部片４のＬ字形部片４ｂに設けて前記貫通孔２７と一致する透孔１１側よりこれらに前記締付けボルト１０を貫通させ、他の一方の木材２４の前記側面２４′に相対する側面（図示省略）より突出する締付けボルト１０の先端に締付けナットを螺合して締付けることにより、接合金具１は他の一方の木材２４の側面２４′に突設される。
【００１６】
そして、前記一方の木材２０を他の一方の木材２４と、他の一方の木材２４に突設した接合基板３の自由端側を切込溝２１に係合するようにして組合わせると、予め設定した通り、押圧片２が接合基板３に設けた凹入切欠７に係合し、押圧片２の凹入切欠７に対する接触により支軸１２、押圧片２および木材接合金具１を介して一方の木材２０は他の一方の木材２４に支持され、該支持された状態で、切込溝２１より突出する操作部片１４を、第一叩打部１４ａおよび第二叩打部１４ｂを工具で叩打して図１において反時計方向すなわち操作部片１４を他の一方の木材２４に近接する方向に支軸１２を中心に回動させると、該操作部片１４を連設した押圧片２は支軸１２を中心にして回動してその周縁部が、前記接合基板３に形成した、凹入切欠７の接合基板３の自由端側の側縁７′を押圧し、この結果、一方の木材２０は他の一方の木材２４方向に漸次引寄せられ、操作部片１４の切込溝２１内への没入完了時に一方の木材２０の引寄せ操作は完了し、この時点で、接合基板３に形成した透孔９，９，９位置に、一方の木材２０側に形成した第二貫通孔２３，２３，２３が移動してき、これらに支持杆８を貫通させ、また、一方の木材２０の下面側から座金２７を介して固定ボルト２８を螺子筒６の螺子穴６ａに螺合して締付けると、前記支持杆８と同様、固定ボルト２８の頭部２８′は座金２７を介して一方の木材２０の重量を部分的に受けることになり、両木材２０，２４の接合金具１を介する接合作業を終える。
【００１７】
図中、１８は一方の木材２０に切込溝２１に連通させて形成した螺子筒６の係合部で、この係合部１８の内縁に螺子筒６が圧接して前記の通り一方の木材２０は他の一方の木材２４側に引き寄せられる。
【００１８】
なお、凹入切欠７の開口上端側の上縁７″，７″を傾斜状としたのは、押圧片２が係合切欠７に（案内縁となって）係合し易くするためである。
【００１９】
また、一方の木材２０に対する切込溝２１等或いは他の一方の木材２４に対する第一係合凹部等の加工形成は、接合金具Ａないし両木材２０，２４との相対的な関係で行われる。
【００２０】
図１、図２において、一方の木材２０と他の一方の木材２４との間に隙間があるが、これは、本発明の説明上解かり易くするためで、図１、図２の状態においては実際上は両木材２０，２４が互いに接触しているときもあり、そのときは、一方の木材２０は他の一方の木材２４にいわばめり込むように引き寄せが行われる。両材の前記加工はこの点を踏まえて行われる。
【００２１】
【発明の効果】
本発明は前記の通りの構成であるから、引寄せ操作を確実に行え、従来にない斬新な構造の木材接合装置を提供でき、しかも、凹入切欠内に係合する押圧片の枢着位置を変えることにより、一方の木材の他の一方の木材方向への引寄せ量を変えることができる。
【００２２】
また、他の一方の木材の側面に取付部片を固着し、一方の木材に設けた切込溝に接合基板の自由端側を係合して、他の一方の木材に枢着した押圧片を回動させると押圧片は凹入切欠の前記接合基板の自由端側の側縁を押圧し、この結果、一方の木材は他の一方の木材側に引寄せられ、この引寄せ完了時に、透孔に支持杆を貫通させ、かつ、固定ボルトを螺子筒に螺合締付けると、一方の木材は支持杆および固定ボルトによって強固に確実に支持され、一対の木材を安定した状態で接合することのできる接合金具を提供できる。
【図面の簡単な説明】
【図１】一部欠截正面図。
【図２】図１の１Ａ−１Ａ線断面図。
【図３】接合作業完了時の状態を示す一部欠截正面図。
【符号の説明】
１          木材接合金具
２          押圧片
３          接合基板
６          螺子筒
７          凹入切欠
８          支持杆
１２        支軸
１４        操作部片
２０        一方の木材
２１        切込溝
２４        他の一方の木材
【図１】
0003645361.tif 000002
【図２】
0003645361.tif 000003
【図３】
0003645361.tif 000004